(57)【特許請求の範囲】
【請求項１】
原稿トレイに載置された原稿を給紙する原稿給紙部と、
前記原稿給紙部によって搬送される前記原稿の一方の面を読み取る第１読取部と、
前記第１読取部による前記原稿の一方の面の読み取りが終了した後、当該原稿をその他方の面が前記第１読取部に読み取られる状態として反転させて搬送する反転機構と、
前記第１読取部による前記一方又は他方の面の読み取りが終了した原稿が排出される原稿排出トレイと、
前記原稿給紙部によって前記原稿トレイから前記第１読取部まで搬送される原稿を案内する第１原稿搬送路と、
前記原稿給紙部によって前記第１読取部を通過し、前記反転機構まで搬送される原稿を案内する反転用原稿搬送路と、
前記反転機構と前記第１原稿搬送路とを繋ぎ、前記原稿給紙部によって前記反転機構から前記第１原稿搬送路まで搬送される原稿を案内する再搬送用原稿搬送路と、
前記反転用原稿搬送路から分岐して、前記原稿給紙部によって搬送される原稿を前記原稿排出トレイまで案内する排出用原稿搬送路と、
前記分岐点と前記原稿排出トレイの間となる前記排出用原稿搬送路に設けられ、前記原稿給紙部によって搬送される前記原稿の他方の面を読み取る第２読取部と
を備え、
前記第１原稿搬送路、前記反転用原稿搬送路、及び前記再搬送用原稿搬送路により環状の原稿搬送路が形成され、
前記排出用原稿搬送路は、前記反転用原稿搬送路から分岐して前記環状の原稿搬送路の外側に延び、前記原稿排出トレイに前記原稿を案内する画像読取装置。
【請求項２】
前記排出用原稿搬送路から、前記原稿排出トレイに、前記原稿を排出させる排出ローラを更に備え、
前記第２読取部は、前記排出用原稿搬送路の前記分岐点と前記排出ローラとの間に配設される請求項１に記載の画像読取装置。
【請求項３】
前記第１読取部は、縮小光学系イメージセンサにより前記原稿の一方の面を読み取り、
前記第２読取部は、密着光学系イメージセンサにより前記原稿の一方の面を読み取る請求項１又は請求項２に記載の画像読取装置。
【請求項４】
請求項１乃至請求項３のいずれかに記載の画像読取装置と、
前記第１読取部及び第２読取部に読み取られた読取画像のデータに基づいて画像を記録紙に形成する画像形成部と
を備える画像形成装置。
【発明の詳細な説明】
【技術分野】
【０００１】
本発明は、原稿の両面を読み取ることが可能な画像読取装置、及びこの画像読取装置を備えた画像形成装置に関するものである。
【背景技術】
【０００２】
従来、複写機やファクシミリ等の画像形成装置では、自動原稿送り装置（ＡＤＦ：Automatic Document Feeder）を備えた画像読取装置によって、原稿の表面及び裏面を自動的に読み取っている。この原稿読取では、原稿の表面の画像をイメージセンサが読み取った後、その原稿の表裏を原稿反転機構により反転させて、原稿裏面の画像を再度イメージセンサが読み取る方式が広く採用されている。
【０００３】
さらには、下記特許文献１に示されるように、原稿トレイからの原稿搬送路において原稿の表裏両面側にそれぞれイメージセンサを設けることで、原稿を反転させることなく１回の原稿搬送（ワンパス）で原稿両面をほぼ同時に読み取る方式を採用した画像形成装置が知られている。この原稿両面をほぼ同時に読み取る方式を採用する画像形成装置では、原稿の一方の面の読み取りは装置本体側に配設された縮小光学系イメージセンサで行い、原稿の他方の面の読み取りは、設置スペース、コスト等の関係上、自動原稿送り装置側に配設された密着光学系イメージセンサで行う場合が多い。
【０００４】
上記特許文献１に示された画像形成装置のように、原稿の表裏面を読み取るイメージセンサの光学的構成が異なると、それぞれに用いられる光源やレンズアレイ等の相違により読取画像の画質に差が生じる。また、この読取画像の画質差が、記録紙の表裏面に形成される画像の画質の差となって現れる。そのため、このような画像形成装置においては、記録紙の表裏面の画質を同一にするために、１枚の原稿を反転させて２度同じイメージセンサ（縮小光学系イメージセンサ）に搬送して当該イメージセンサで原稿の表裏面を読み取らせる両面反転読取モードと、画像の読取時間を短縮するために原稿の表裏面を縮小光学系と密着光学系の２つのイメージセンサを用いてほぼ同時に読み取らせる両面同時読取モードの２つのモードを設けて、ユーザが所望のモードを選択できるようになっている。
【特許文献１】特開２００７−８２０３３号公報
【発明の開示】
【発明が解決しようとする課題】
【０００５】
しかしながら、上記特許文献１に示される画像形成装置は、その図１２に示されるように、原稿他方面の読取用の密着光学系イメージセンサが、原稿一方面の読取用の縮小光学系イメージセンサよりも原稿搬送方向下流側の原稿搬送路であって、上記原稿反転機構よりも原稿搬送方向上流側となる原稿搬送路上に設けられている。このような画像形成装置では、密着光学系イメージセンサが、両面反転読取モード時に原稿を再度縮小光学系イメージセンサに戻すための環状の原稿搬送路（原稿トレイ及び縮小光学系イメージセンサを繋ぐ第１原稿搬送路と、縮小光学系イメージセンサ及び原稿反転機構を繋ぐ反転用原稿搬送路と、原稿反転機構と第１原稿搬送路とを繋ぐ再搬送用原稿搬送路とで形成される）のループ内に配置されることになるために、密着光学系イメージセンサの配設スペース分だけ当該ループが大きくなる。これにより、両面反転読取モード時に原稿を再度縮小光学系イメージセンサに戻すための搬送路が長くなってしまい、両面反転読取モード時の原稿読取に長時間を要する。
【０００６】
本発明は、上記の問題を解決するためになされたものであり、表裏反転により原稿両面を読み取る場合における原稿読取に長時間を要することなく、原稿両面を同時に読み取る構成の採用を可能にすることを目的とする。
【課題を解決するための手段】
【０００７】
本発明の請求項１に記載の発明は、原稿トレイに載置された原稿を給紙する原稿給紙部と、
前記原稿給紙部によって搬送される前記原稿の一方の面を読み取る第１読取部と、
前記第１読取部による前記原稿の一方の面の読み取りが終了した後、当該原稿をその他方の面が前記第１読取部に読み取られる状態として反転させて搬送する反転機構と、
前記第１読取部による前記一方又は他方の面の読み取りが終了した原稿が排出される原稿排出トレイと、
前記原稿給紙部によって前記原稿トレイから前記第１読取部まで搬送される原稿を案内する第１原稿搬送路と、
前記原稿給紙部によって前記第１読取部を通過し、前記反転機構まで搬送される原稿を案内する反転用原稿搬送路と、
前記反転機構と前記第１原稿搬送路とを繋ぎ、前記原稿給紙部によって前記反転機構から前記第１原稿搬送路まで搬送される原稿を案内する再搬送用原稿搬送路と、
前記反転用原稿搬送路から分岐して、前記原稿給紙部によって搬送される原稿を前記原稿排出トレイまで案内する排出用原稿搬送路と、
前記分岐点と前記原稿排出トレイの間となる前記排出用原稿搬送路に設けられ、前記原稿給紙部によって搬送される前記原稿の他方の面を読み取る第２読取部と
を備え、
前記第１原稿搬送路、前記反転用原稿搬送路、及び前記再搬送用原稿搬送路により環状の原稿搬送路が形成され、
前記排出用原稿搬送路は、前記反転用原稿搬送路から分岐して前記環状の原稿搬送路の外側に延び、前記原稿排出トレイに前記原稿を案内する画像読取装置である。
【０００８】
この発明では、原稿同時読取時等に原稿他方面を読取可能な第２読取部が、反転用原稿搬送路からの分岐点と原稿排出トレイの間となる排出用原稿搬送路に設けられているので、第１読取部で読み取られた原稿を反転機構での表裏面反転後に第１読取部に再搬送するための原稿搬送路から外れた位置に第２読取部が配置されている。これにより、上記第１読取部に再搬送するための原稿搬送経路上に第２読取部の配置スペースを設ける必要をなくし、第１読取部に再搬送するための原稿搬送路を短く構成できるため、表裏反転により原稿両面を第１読取部で読み取る動作が行われる場合であっても原稿読取に長時間が要求されないようにしつつ、第１及び第２読取部により原稿両面を同時に読み取る構成を採用することが可能になる。更に、この発明では、第２読取部が設けられる排出用原稿搬送路は、反転用原稿搬送路から分岐し、上記環状の原稿搬送路の外側に延びて原稿排出トレイに繋がるので、第２読取部は、第１原稿搬送路、前記反転用原稿搬送路、及び前記再搬送用原稿搬送路からなる環状の原稿搬送路で形成されるループの外側に配設されることになる。これにより、第１読取部に再搬送するための上記環状の原稿搬送路、すなわち第１読取部に再搬送するための原稿搬送路で形成されるループ内に第２読取部の配置スペースを設けることなく、当該ループを小さく構成できるため、表裏反転により原稿両面を第１読取部で読み取る場合であっても原稿読取に長時間が要求されないようにしつつ、第１及び第２読取部により原稿両面を同時に読み取る構成を採用することができる。
【０００９】
また、請求項２に記載の発明は、請求項１に記載の画像読取装置であって、
前記排出用原稿搬送路から、前記原稿排出トレイに、前記原稿を排出させる排出ローラを更に備え、
前記第２読取部は、前記排出用原稿搬送路の前記分岐点と前記排出ローラとの間に配設されるものである。
【００１０】
この発明では、前記排出用原稿搬送路から、前記原稿排出トレイに、前記原稿を排出させる排出ローラを更に備え、前記第２読取部は、前記排出用原稿搬送路の前記分岐点と前記排出ローラとの間に配設される。
【００１１】
また、請求項３に記載の発明は、請求項１又は請求項２に記載の画像読取装置であって、前記第１読取部は、縮小光学系イメージセンサにより前記原稿の一方の面を読み取り、
前記第２読取部は、密着光学系イメージセンサにより前記原稿の一方の面を読み取るものである。
【００１２】
この発明によれば、上記原稿両面の読み取りに用いられる第１読取部が縮小光学系イメージセンサであるため、表裏反転により原稿両面を第１読取部で読み取るようにすれば、原稿両面の読取画像の色味に違いを生じさせず、また、カラー画像を高品質で読み取ることができる。さらに、原稿の他方面を読み取る第２読取部が密着光学系イメージセンサであるために、当該第２読取部を、縮小光学系イメージセンサ配設時のような大きなスペースを要さずに比較的小さなスペースで配設できるので、第１読取部に原稿を再搬送するための原稿搬送路を小さく構成できる。
【００１３】
また、請求項４に記載の発明は、請求項１乃至請求項３のいずれかに記載の画像読取装置と、
前記第１読取部及び第２読取部に読み取られた読取画像のデータに基づいて画像を記録紙に形成する画像形成部と
を備える画像形成装置である。
【００１４】
この発明によれば、請求項１乃至請求項３に記載のいずれかの発明が奏する作用と同様の作用が得られる。
【発明の効果】
【００１５】
本発明によれば、表裏反転により原稿両面を読み取る場合における原稿読取に長時間を要することなく、原稿両面を同時に読み取る構成を採用することが可能になる。
【発明を実施するための最良の形態】
【００１６】
以下、本発明の一実施形態に係る画像読取装置及び画像形成装置について図面を参照して説明する。尚、以下の実施形態では、本発明における画像読取装置及び画像形成装置を、カラーコピー、スキャナ、ファクシミリ、プリンタ等の機能を備えた複合機に集約した形態を例に説明する。
【００１７】
図１は本発明に係る画像形成装置の一実施形態である複合機１の内部構成を模式的に示した縦断面図である。
【００１８】
複合機１は、画像読取装置２と装置本体３とを備える。画像読取装置２は、原稿給紙部２１とスキャナ部２２とＣＩＳ２３１と操作部５と、更に後述する反転機構２８０及び制御部６１を備えてなる。
【００１９】
原稿給紙部２１はＡＤＦ（Automatic Document Feeder）を備え、原稿トレイ２１１、ピックアップローラ２１２、レジストローラ２１３、原稿搬送ローラ２１９、排出ローラ２１４及び原稿排出トレイ２１５を有する。原稿トレイ２１１には、読取対象とされる原稿が載置される。原稿トレイ２１１に載置された原稿は１枚ずつピックアップローラ２１２によって取り込まれる。ピックアップローラ２１２によって取り込まれた原稿は、レジストローラ２１３により、先に読取が開始されている原稿についてのスキャナ部２２及びＣＩＳ２３１での読取進行状況、原稿搬送路上の位置等に応じて、スキャナ部２２及びＣＩＳ２３１に向けて原稿を搬送するタイミングが調整される。レジストローラ２１３は、当該タイミング調整後、スキャナ部２２及びＣＩＳ２３１に向けて原稿を搬送開始し、この原稿は、原稿搬送路２１０の随所に設けられている各原稿搬送ローラ２１９によって原稿搬送路２１０上を搬送される。各原稿搬送ローラ２１９によって原稿搬送路２１０を搬送された原稿は、排出ローラ２１４によって原稿排出トレイ２１５へ排出される。
【００２０】
スキャナ部（第１読取部の一例）２２は、原稿の画像を光学的に読み取って画像データを生成するものである。スキャナ部２２は、装置本体３に設けられている。スキャナ部２２は、プラテンガラス２２１、光源２２２、第１ミラー２２３、第２ミラー２２４、第３ミラー２２５、第１キャリッジ２２６、第２キャリッジ２２７、結像レンズ２２８、ＣＣＤ（Charge Coupled Device）２２９、第２ミラー２２４、第３ミラー２２５、第１キャリッジ２２６、第２キャリッジ２２７、結像レンズ２２８を備える。このスキャナ部２２は、光源２２２として冷陰極蛍光管等の白色蛍光ランプが用いられ、上記第１ミラー２２３、第２ミラー２２４、第３ミラー２２５、第１キャリッジ２２６、第２キャリッジ２２７及び結像レンズ２２８により、原稿からの光をＣＣＤ２２９に導くものである。スキャナ部２２は、光源２２２として冷陰極蛍光管等の白色蛍光ランプを用いていることから、光源として３色ＬＥＤ等が用いられる後述のＣＩＳ２３１よりも色再現性に優れる。
【００２１】
ＣＩＳ（第２読取部の一例）２３１は、スキャナ部２２よりも原稿搬送方向下流側に設けられている。ＣＩＳ２３１は、原稿搬送路において、スキャナ部２２によって読み取られる原稿面とは反対側の面を読取可能な位置に設けられている。
【００２２】
プラテンガラス２２１には、上記原稿給紙部２１によらない原稿読取時に、ユーザの手動により原稿が載置される。プラテンガラス２２１は、光源２２２及び第１ミラー２２３は第１キャリッジ２２６によって支持され、第２ミラー２２４及び第３ミラー２２５は第２キャリッジ２２７によって支持されている。
【００２３】
画像読取装置２の原稿読取方式としては、プラテンガラス２２１上に載置された原稿をスキャナ部２２が読み取るフラットベッド読取モードと、原稿を原稿給紙部２１（ＡＤＦ）によって取り込み、その搬送途中で原稿を読み取るＡＤＦ読取モードがある。フラットベッド読取モードでは、光源２２２がプラテンガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。ＣＣＤ２２９は一次元のイメージセンサであり、１ライン分の原稿の画像を同時に処理する。第１キャリッジ２２６及び第２キャリッジ２２７は、主走査方向と直交する方向（副走査方向、矢印Ｙ方向）に移動可能に構成されており、１ライン分の読み取りが終了すると、当該主走査方向と直交する方向に第１キャリッジ２２６及び第２キャリッジ２２７が移動し、次のラインの読み取りが行われる。
【００２４】
ＡＤＦ読取モードでは、原稿給紙部２１が、原稿トレイ２１１に載置された原稿がピックアップローラ２１２によって１枚ずつ取り込む。このとき、第１キャリッジ２２６及び第２キャリッジ２２７は、読取窓２３０の下方位置に配置される。原稿給紙部２１による原稿搬送で、原稿が原稿搬送路２１０に設けられた読取窓２３０上を通過するとき、光源２２２が原稿を照射し、主走査１ライン分の反射光が第１ミラー２３３、第２ミラー２２４、第３ミラー２２５の順に反射して、結像レンズ２２８に入射する。結像レンズ２２８に入射した光はＣＣＤ２２９の受光面で結像される。続いて原稿は原稿給紙部２１によって搬送され、次のラインが読み取られる。
【００２５】
更に、原稿給紙部２１は切換ガイド２１６及び反転ローラ２１７を有する反転機構２８０を有する。この反転機構２８０が、１回目のＡＤＦ読み取りによって表面（原稿の一方の面）がスキャナ部２２に読み取られた原稿を表裏反転させて読取窓２３０（スキャナ部２２）に再搬送することで、再度スキャナ部２２によって裏面（原稿の他方の面）の読み取りが行われる。この反転機構２８０は、両面読み取り時にのみ動作し、片面読み取り時は動作しない。片面読み取り時及び両面読み取り時において裏面の読み取り後、切換ガイド２１６は上側に切り替えられ、原稿は排出ローラ２１４によって原稿排出トレイ２１５に排紙される。また、両面読み取り時における表面読み取り後は、切換ガイド２１６は下側に切り替えられ、原稿搬送ローラ２１９によって反転機構２８０まで搬送されてきた原稿は、反転ローラ２１７の逆回転により再搬送用原稿搬送路２７３へ搬送され、原稿搬送ローラ２１９により読取窓２３０（スキャナ部２２）に再搬送される。以下、反転機構２８０を用いて原稿の両面を読み取らせるモードを両面反転読取モード又は高画質モードと表記する。
【００２６】
更に、本実施形態の画像読取装置２は、ＡＤＦ読取モード時において、上記で説明したように原稿の搬送途中でスキャナ部２２（ＣＣＤ２２９）によって原稿の表面の読み取りを行わせると同時に、ＣＩＳ２３１によって原稿の裏面の読み取りを行わせることが可能である。この場合、原稿トレイ２１１から原稿給紙部２１により搬送された原稿は、読取窓２３０上を通過するときにＣＣＤ２２９によって表面が読み取られ、ＣＩＳ２３１の配置箇所を通過する際に裏面が読み取られる。なお、ＣＩＳ２３１では、光源としてＲＧＢの３色ＬＥＤ等が用いられる。
【００２７】
このようにＣＣＤ２２９とＣＩＳ２３１を用いることで、原稿給紙部２１による原稿トレイ２１１から原稿排出トレイ２１５までの一回の原稿搬送操作（ワンパス）によって原稿の表裏両面の読み取りが可能となる。以下、このようにＣＣＤ２２９とＣＩＳ２３１を用いて原稿の両面を読み取らせるモードを両面同時読取モード又は高速モードと表記する。
【００２８】
ここで、高画質モード（両面反転読取モード）と高速モード（両面同時読取モード）について説明する。高画質モードでは原稿両面の読み取りが同じイメージセンサ（ＣＣＤ２２９）によって行われるため、取得した画像データに基づいて両面印刷を行っても、両面の印刷画像の画質に差はない。しかし、高速モードでは原稿の表面はＣＣＤ２２９、裏面はＣＩＳ２３１という異なるイメージセンサで読み取りが行われるため、特にカラー原稿の場合、それぞれのイメージセンサが取得した画像データに基づいて両面印刷を行うと、両面の印刷画像の画質に差が生じる。これは、ＣＣＤ２２９、ＣＩＳ２３１が原稿読み取りの際に用いる上述した光源の分光分布の違いによるものの他に、ＣＣＤ２２９は複数の受光素子がワンチップ上に形成されてイメージセンサとして構成されているのに対し、ＣＩＳ２３１においては複数の固体撮像素子が連結されてイメージセンサとして構成されているため固体撮像素子間に感度のバラつきが生じ、これが画質差の原因となっていると考えられる。
【００２９】
従って、本実施形態の複合機１においては、上記画質差の発生を解決するために、ＡＤＦ読取モードを用いて原稿の両面読み取りを行う際、ユーザは高画質モード（両面反転読取モード）又は高速モード（両面同時読取モード）の何れかを選択することができるようになっている。つまり、両面の印刷画像の画質を揃えたい場合は高画質モード（両面反転読取モード）、両面の印刷画像の画質に差はあっても、読取時間の短縮化を優先させたい場合は高速モード（両面同時読取モード）とする等、ユーザは状況に応じてモードを選択することができる。
【００３０】
さらに、複合機１は、装置本体３と、装置本体３の左方に配設されたスタックトレイ６とを有している。装置本体３は、複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。また、手差しトレイ４７１を備え、この手差しトレイ４７１からは何れの給紙カセットにも収納されていないサイズの用紙や、既に一方の面に画像形成がなされている用紙（裏紙）、ＯＨＰシートのような任意の記録媒体が載置可能であり、給紙ローラ４７２によって１枚ずつ装置本体３内に給紙される。
【００３１】
記録部（画像形成部）４０は、感光体ドラム４３の表面から残留電荷を除電する除電装置４２１と、除電後の感光体ドラム４３の表面を帯電させる帯電装置４２２と、スキャナ部２２で取得された画像データに基づいてレーザ光を出力して感光体ドラム４３表面を露光し、当該感光体ドラム４３の表面に静電潜像を形成する露光装置４２３と、上記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｋ，４４Ｙ，４４Ｍ，４４Ｃと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。なお、シアン、マゼンタ、イエロー及びブラックの各色に対するトナーの供給は、図略のトナー供給容器（トナーカートリッジ）から行われる。また、記録部４０を通過した記録紙をスタックトレイ６又は排出トレイ４８まで搬送する搬送ローラ４６３，４６４等が設けられている。
【００３２】
記録紙の両面に画像を形成する場合は、記録部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って記録部４０の上流域に再度搬送し、記録部４０により他方の面に画像を形成した後、記録紙をスタックトレイ６又は排出トレイ４８に排出する。
【００３３】
また、装置本体３の前方には、ユーザが操作画面や各種メッセージ等を視認することができる表示部や、種々の操作命令を入力するための操作ボタンを有する操作部５が備えられている。この操作部５は、表示部５１、数字キー群５３、スタートボタン５５等を備える。表示部５１は、ＬＣＤ（Liquid Crystal Display）やＥＬＤ（Electronic Luminescent Display）等によって構成され、紙サイズ選択、倍率選択、濃度選択等のユーサーに対する操作案内画面が表示される。この表示部５１はタッチパネルと一体的に形成されている。タッチパネルは、ユーザによるタッチ操作がなされたら、タッチ位置を検知して検知信号を、後述する制御部へ出力する。
【００３４】
数字キー群５３は、例えば、複合機１のコピー機能を動作させる際はコピー枚数を、ファクシミリ機能を動作させる際は送信先の電話番号等を入力するためのものである。スタートボタン５５はコピー動作やスキャナ動作等を開始させるボタンである。
【００３５】
図２は、複合機１の電気的構成を示すブロック図である。尚、図１に示した各部と同一のものには同符号を付して詳細な説明は省略する。
【００３６】
複合機１は、制御部６１、原稿給紙部２１、スキャナ部２２、ＣＩＳ２３１、操作部５、画像処理部６４、記録部４０及び通信部６６を備えて構成される。
【００３７】
制御部６１は、複合機１の全体動作制御を司るものであり、ＣＰＵ等によって構成される。上記原稿給紙部２１、スキャナ部２２、ＣＩＳ２３１、操作部５、画像処理部６４、記録部４０及び通信部６６は、制御部６１による制御の下で動作する。制御部６１は、ユーザから操作部５に入力された各種の指示信号等に応じて、図略のＲＯＭ又はＨＤＤに記憶されている動作制御プログラムに基づいた処理を実行し、各機能部への指示信号の出力、データ転送等を行って複合機１を統括的に制御する。
【００３８】
制御部６１は、モード設定部６１１を有する。モード設定部６１１は、上述した両面反転読取モード及び両面同時読取モードのそれぞれのモードでの、原稿給紙部２１、スキャナ部２２、ＣＩＳ２３１及び反転機構２８０のうちの所要各部による予め定められた動作及び動作制御を記憶している。モード設定部６１１は、ユーザによる操作部５の操作で入力される両面反転読取モード又は両面同時読取モードのいずれかを選択するモード選択指示に従って、上記所要各部に両面反転読取モード又は両面同時読取モードのいずれの動作を行わせるかを設定するものである。制御部６１は、当該モード設定部６１１によって設定されたモードで、上記所要各部を動作させる。なお、以下の説明では、スキャナ部２２をＣＣＤ２２９と表記する。
【００３９】
原稿給紙部２１は、ＡＤＦ読取モードで原稿のコピーやスキャンが行われる際に、原稿トレイ２１１に載置された原稿を自動的に取り込んで、ＣＣＤ２２９やＣＩＳ２３１による原稿の読み取りが可能なように搬送する。
【００４０】
表示部５１は、各種画面を表示するためのものであり、制御部６１から入力される表示信号に基づいて表示画面を表示する。
【００４１】
画像処理部６４は、画像データに関する各種画像処理を行うものである。例えば、画像処理部６４は、ＣＣＤ２２９又はＣＩＳ２３１によって取得された画像データや、ネットワーク接続されたパーソナルコンピュータ、公衆回線で接続されたファクシミリ装置等から通信部６６を介して転送されてくる画像データに対して、レベル補正、ガンマ補正等の補正処理、画像データの圧縮又は伸長処理、拡大又は縮小処理などの画像加工処理を行う。
【００４２】
記録部４０は、ＣＣＤ２２９又はＣＩＳ２３１によって得られた画像データや、上記パーソナルコンピュータやファクシミリ装置等から通信部６６を介して転送された画像データに基づいた画像を記録紙に形成する。
【００４３】
通信部６６は、ネットワークインターフェースを用い、ネットワークを介して接続されたコンピュータやファクシミリ装置等の外部装置との間で種々のデータの送受信を行うものである。
【００４４】
次に、画像読取装置２の原稿搬送経路及びＣＩＳ２３１の配置について説明する。図３は、画像読取装置２の原稿搬送経路の詳細を示す図である。図４は、従来の画像読取装置２’の原稿搬送経路の詳細を示す図である。
【００４５】
原稿給紙部２１の原稿搬送経路２１０は、第１原稿搬送路２７１と、反転用原稿搬送路２７２と、上述した再搬送用原稿搬送路２７３と、排出用原稿搬送路２７４とを備えている。
【００４６】
第１原稿搬送路２７１は、原稿給紙部２１の原稿搬送ローラ２１９によって原稿トレイ２１１からＣＣＤ２２９まで搬送される原稿を案内する。反転用原稿搬送路２７２は、原稿搬送ローラ２１９によってＣＣＤ２２９から反転機構２８０まで搬送される原稿を案内する。再搬送用原稿搬送路２７３は、反転機構２８０と第１原稿搬送路２７１とを繋ぎ、原稿搬送ローラ２１９によって反転機構２８０から第１原稿搬送路２７１まで搬送される原稿を案内する。排出用原稿搬送路２７４は、反転用原稿搬送路２７２から分岐して、原稿搬送ローラ２１９によってＣＣＤ２２９から原稿排出トレイ２１５まで搬送される原稿を案内する。上述した切換ガイド２１６は、反転用原稿搬送路２７２と排出用原稿搬送路２７４との分岐点に設けられており、原稿搬送ローラ２１９によって搬送される原稿を反転機構２８０又は原稿排出トレイ２１５のいずれに案内するかを切り換える。
【００４７】
上記第１原稿搬送路２７１、反転用原稿搬送路２７２、及び再搬送用原稿搬送路２７３により環状の原稿搬送路２７８が形成されている。両面反転読取モードでの原稿読取動作時には、原稿トレイ２１１からピックアップローラ２１２によって第１原稿搬送路２７１に取り込まれた原稿は、その表裏面の読取のために、原稿搬送ローラ２１９及び切換ガイド２１６及び反転ローラ２１７により、第１原稿搬送路２７１を経て原稿読取窓２３０（ＣＣＤ２２９）を通過し、反転用原稿搬送路２７２を経て反転機構２８０まで搬送され、更に、反転機構２８０から再搬送用原稿搬送路２７３を通って第１原稿搬送路２７１まで搬送され、再びＣＣＤ２２９まで搬送される。そして、この後に原稿は、切換ガイド２１６により排出用原稿搬送路２７４に案内され、排出ローラ２１４によって原稿排出トレイ２１５に排出される。すなわち、両面反転読取モードでの原稿読取動作における原稿裏面の読取時には、原稿は上記環状の原稿搬送路２７８を搬送される。
【００４８】
ＣＩＳ２３１は、上記排出用原稿搬送路２７４に設けられている。すなわち、ＣＩＳ２３１は、反転用原稿搬送路２７２から排出用原稿搬送路２７４が分岐する当該分岐点と、原稿排出トレイ２１５の間となる排出用原稿搬送路２７４上に設けられている。図３に示すように、排出用原稿搬送路２７４は、反転用原稿搬送路２７２から分岐して上記環状の原稿搬送路２７８の外側に延び、原稿排出トレイ２１５に繋がっている。このため、ＣＩＳ２３１は、上記環状の原稿搬送路２７８で形成されるループの外側に配設されている。
【００４９】
図４に示す従来の画像読取装置２’の場合、原稿裏面読取用のＣＩＳ２３１が環状の原稿搬送路２７８で形成されるループ内に配置されているため、ＣＩＳ２３１の配置スペースを当該ループ内に確保するために当該ループが大きくなってしまい、両面反転読取モードでの上記原稿裏面読取動作時における原稿搬送距離が比較的長くなる結果を招き、両面反転読取モードでの原稿両面読取時間が長時間となっていた。
【００５０】
これに対して、図３に示す本発明の一実施形態に係る画像読取装置２は、ＣＩＳ２３１が上記環状の原稿搬送路２７８がなすループの外側に設けられており、両面反転読取モードでの原稿裏面読取動作時に原稿が環状の原稿搬送路２７８を搬送されているときは、原稿はＣＩＳ２３１の配設位置を通過しない。このように環状の原稿搬送路２７８で形成されるループ内にＣＩＳ２３１の配置スペースを設けないことで、環状の原稿搬送路２７８のループを小さく構成している。これにより、画像読取装置２は、両面反転読取モードでの原稿裏面読取動作時における原稿搬送距離が短くなり、両面反転読取モードでの原稿両面読取に長時間を要しない。
【００５１】
また、画像読取装置２は、上記環状の原稿搬送路２７８で形成されるループの外側にＣＩＳ２３１を配設しており、ＣＩＳ２３１の配設スペースを確保しやすいことから、画像読取装置２に対するＣＩＳ２３１の追加及び取り外しを容易に行うことができる。
【００５２】
なお、本発明は上記実施の形態の構成に限られず種々の変形が可能である。例えば、上記実施形態では、両面反転読取モードでの原稿読取動作時に原稿の表裏面を読み取り、また両面同時読取モードでの原稿読取動作時に原稿表面を読み取る第１読取部がＣＣＤ２２９とされ、両面同時読取モードでの原稿読取動作時に原稿裏面を読み取る第２読取部がＣＩＳ２３１とされているが、当該第１及び第２読取部の両方がＣＩＳ２３１とされる構成等でも構わない。
【００５３】
また、上記では、本発明に係る画像読取装置及び画像形成装置の構成及び処理の実施形態を図１乃至図４に示したが、これらはあくまでも一例に過ぎず、本発明に係る画像読取装置及び画像形成装置を上述した構成及び制御に限定する趣旨ではない。
【図面の簡単な説明】
【００５４】
【図１】本発明に係る画像形成装置の一実施形態である複合機の内部構成を模式的に示した縦断面図である。
【図２】複合機の電気的構成を示すブロック図である。
【図３】画像読取装置の原稿搬送経路の詳細を示す図である。
【図４】従来の画像読取装置の原稿搬送経路の詳細を示す図である。
【符号の説明】
【００５５】
１        複合機
２        画像読取装置
２１      原稿給紙部
２２      スキャナ部
４０      記録部
２１０    原稿搬送路
２１１    原稿トレイ
２１５    原稿排出トレイ
２１９    原稿搬送ローラ
２７１    第１原稿搬送路
２７２    反転用原稿搬送路
２７３    再搬送用原稿搬送路
２７４    排出用原稿搬送路
２７８    環状の原稿搬送路
２８０    反転機構
【図１】
0004977567.tif 000002
【図２】
0004977567.tif 000003
【図３】
0004977567.tif 000004
【図４】
0004977567.tif 000005